(57)【特許請求の範囲】
【請求項１】
複数の鍵が鍵盤シャーシ上に上下方向に回転可能に取り付けられた状態で並列に配列された鍵盤装置において、
前記鍵盤シャーシ上に起立して設けられ、且つ前記複数の鍵の各内部にそれぞれ挿入して前記各鍵を上下方向にガイドする複数の鍵ガイド部と、
前記鍵の配列方向における前記鍵ガイド部の両側部に位置し、且つ前記鍵盤シャーシの下面から前記鍵ガイド部内の下部に亘ってそれぞれ形成された複数の調整穴部と、
前記複数の調整穴部のいずれかに螺入してその締付力に応じて前記鍵ガイド部を前記鍵の配列方向に傾けるためのねじ部材と
を備えていることを特徴とする鍵盤装置。
【請求項２】
前記ねじ部材は、ねじ頭部と、このねじ頭部の外径よりも小径のねじ部とを有し、前記調整穴部は、前記鍵盤シャーシの下面に開放された状態で形成されて前記ねじ部が遊びをもって挿入する大径の円形孔と、この円形孔の上部側に形成されて前記ねじ部材の前記ねじ部が螺入するねじ穴とを有することを特徴とする請求項１に記載の鍵盤装置。
【請求項３】
前記ねじ部材の前記ねじ部は、前記調整穴部の前記円形孔の長さよりも長く形成され、且つ前記円形孔と前記ねじ穴との両者の長さよりも短く形成されていることを特徴とする請求項２に記載の鍵盤装置。
【発明の詳細な説明】
【技術分野】
【０００１】
この発明は、電子ピアノや電子オルガンなどの鍵盤楽器に用いられる鍵盤装置に関する。
【背景技術】
【０００２】
従来、電子ピアノなどの鍵盤装置においては、特許文献１に記載されているように、複数の鍵の各後端部を複数の鍵の配列方向に沿って連続する共通支持部にそれぞれ薄肉の屈曲部を介して連結することにより、複数の鍵を所定間隔で配列させて第１〜第３の各鍵ユニットを構成したものが知られている。
【先行技術文献】
【特許文献】
【０００３】
【特許文献１】特開平１０−２４０２２７号公報
【０００４】
この種の鍵盤装置は、第１〜第３の各鍵ユニットにおける各共通支持部を重ね合わせて、第１の鍵ユニットにおける複数の鍵の各間に、第２、第３の各鍵ユニットの各鍵をそれぞれ配置し、この状態で各共通支持部をねじ部材によって締め付けて固定することにより、多数の鍵を一度に音階順に配列させるように構成されている。
【発明の概要】
【発明が解決しようとする課題】
【０００５】
このような従来の鍵盤装置においては、第１〜第３の各鍵ユニットにおける各共通支持部を重ね合わせた状態で、各共通支持部をねじ部材によって締め付けると、ねじ部材の頭部と最上部に位置する共通支持部の上面との間に大きな摩擦力が発生し、この摩擦力によって共通支持部がねじ部材の締め付けに伴う回転方向に捻じれ、この捻じれによって第１〜第３の各鍵ユニットにおける互いに隣接する鍵同士の隙間が変化する。
【０００６】
このため、このような従来の鍵盤装置では、ねじ部材の頭部と最上部に位置する共通支持部の上面との間に発生する摩擦力によって、共通支持部にねじ部材の締め付けに伴う回転方向への捻じれを発生させて、互いに隣接する鍵同士の隙間を変化させることにより、鍵同士の隙間を調整するようにしているが、ねじ部材の締め付けに伴う摩擦力だけでは、互いに隣接する鍵同士の隙間を簡単に且つ正確に修正することができないため、多数の鍵の各隙間を均一にすることができないという問題がある。
【０００７】
この発明が解決しようとする課題は、互いに隣接する鍵同士の隙間を容易に且つ正確に修正して、多数の鍵の各隙間を均一にすることができる鍵盤装置を提供することである。
【課題を解決するための手段】
【０００８】
この発明は、上記課題を解決するために、次のような構成要素を備えている。
請求項１に記載の発明は、複数の鍵が鍵盤シャーシ上に上下方向に回転可能に取り付けられた状態で並列に配列された鍵盤装置において、前記鍵盤シャーシ上に起立して設けられ、且つ前記複数の鍵の各内部にそれぞれ挿入して前記各鍵を上下方向にガイドする複数の鍵ガイド部と、前記鍵の配列方向における前記鍵ガイド部の両側部に位置し、且つ前記鍵盤シャーシの下面から前記鍵ガイド部内の下部に亘ってそれぞれ形成された複数の調整穴部と、前記複数の調整穴部のいずれかに螺入してその締付力に応じて前記鍵ガイド部を前記鍵の配列方向に傾けるためのねじ部材とを備えていることを特徴とする鍵盤装置である。
【０００９】
請求項２に記載の発明は、前記ねじ部材は、ねじ頭部と、このねじ頭部の外径よりも小径のねじ部とを有し、前記調整穴部は、前記鍵盤シャーシの下面に開放された状態で形成されて前記ねじ部が遊びをもって挿入する大径の円形孔と、この円形孔の上部側に形成されて前記ねじ部材の前記ねじ部が螺入するねじ穴とを有することを特徴とする請求項１に記載の鍵盤装置である。
【００１０】
請求項３に記載の発明は、前記ねじ部材の前記ねじ部は、前記調整穴部の前記円形孔の長さよりも長く形成され、且つ前記円形孔と前記ねじ穴との両者の長さよりも短く形成されていることを特徴とする請求項２に記載の鍵盤装置である。
【発明の効果】
【００１２】
この発明によれば、鍵盤シャーシ上に並列に配列された複数の鍵の各隙間を調整する際に、複数の鍵をそれぞれ上下方向にガイドする複数の鍵ガイド部のうち、鍵同士の隙間が広い箇所に隣接する鍵ガイド部を、これに対応する鍵隙間調整部によって鍵の配列方向における鍵同士の隙間の広い方向に傾け、この傾いた鍵ガイド部によって鍵をその配列方向における鍵同士の隙間の広い方向に変位させることができる。このため、隣接する鍵同士の隙間を調整することができるので、隣接する鍵同士の隙間を容易に且つ正確に修正して、多数の鍵の各隙間を均一にすることができる。
【図面の簡単な説明】
【００１３】
【図１】この発明を鍵盤楽器に適用した一実施形態を示した断面図である。
【図２】図１に示された鍵盤楽器における鍵盤部の一部を示した要部の拡大平面図である。
【図３】図２に示された鍵盤部のＡ−Ａ矢視における鍵ガイド部を示した要部の拡大断面図である。
【図４】図３に示された鍵盤部のＢ−Ｂ矢視における鍵ガイド部を示した要部の拡大平面図である。
【図５】図３に示された鍵ガイド部の一部を分解して示した拡大断面図である。
【図６】図３に示された鍵ガイド部において、鍵同士の隙間が不均一である場合の一例を示した要部の拡大断面図である。
【図７】図６に示された鍵ガイド部において、鍵同士の隙間が広い箇所の左側に位置する鍵ガイド部を鍵隙間調整部によって右側に傾けることにより、鍵同士の隙間を調整する場合を示した要部の拡大断面図である。
【図８】図３に示された鍵ガイド部において、鍵同士の隙間が不均一である場合の他の例を示した要部の拡大断面図である。
【図９】図８に示された鍵盤楽器の鍵ガイド部において、鍵同士の隙間が広い箇所の右側に位置する鍵ガイド部を鍵隙間調整部によって左側に傾けることにより、鍵同士の隙間を調整する場合を示した要部の拡大断面図である。
【発明を実施するための形態】
【００１４】
以下、図１〜図９を参照して、この発明を鍵盤楽器に適用した一実施形態について説明する。
この鍵盤楽器は、図１に示すように、楽器ケース１を備えている。この楽器ケース１は、下部ケースを兼ねる鍵盤シャーシ２と、この鍵盤シャーシ２の後側上部（図１では右側上部）に設けられた上部ケース３とで構成されている。
【００１５】
この楽器ケース１の内部には、図１に示すように、鍵盤部４が上方に露呈した状態で配置されている。また、この鍵盤部４の後方（図１では右側）に位置する楽器ケース１の内部には、回路基板５やスピーカ（図示せず）などの楽器に必要な各種の電子部品が設けられている。鍵盤部４は、合成樹脂からなる複数の鍵６を有している。この複数の鍵６は、図１および図２に示すように、白鍵７と黒鍵８とを有し、鍵盤シャーシ２上に上下方向に回転可能に取り付けられた状態で並列に配列されている。
【００１６】
この場合、複数の鍵６のうち、複数の白鍵７は、図１および図２に示すように、その各後端部（図１では右端部）に上下方向に撓み変形する薄肉の屈曲部７ａがそれぞれ形成され、この薄肉の屈曲部７ａが鍵６の配列方向（図２では左右方向）に連続する共通支持部７ｂにそれぞれ連結されていることにより、共通支持部７ｂに連結された各屈曲部７ａによってそれぞれ上下方向に変位可能な状態で、鍵６の配列方向に沿って並列に配列されている。
【００１７】
また、複数の黒鍵８は、図１および図２に示すように、その各後端部（図１では右端部）に上下方向に撓み変形する薄肉の屈曲部８ａがそれぞれ形成され、この薄肉の屈曲部８ａが鍵６の配列方向（図２では左右方向）に連続する共通支持部８ｂにそれぞれ連結されていることにより、共通支持部８ｂに連結された各屈曲部８ａによってそれぞれ上下方向に変位可能な状態で、鍵６の配列方向に沿って並列に配列されている。
【００１８】
これにより、複数の鍵６は、図１および図２に示すように、複数の白鍵７の各間に複数の黒鍵８をそれぞれ配置して、白鍵７の共通支持部７ｂと黒鍵８の共通支持部８ｂとを重ね合わせ、この状態で各共通支持部７ｂ、８ｂを鍵盤シャーシ２上に複数のビス９によって取り付けることにより、各白鍵７がそれぞれ屈曲部７ａを中心に上下方向に回転すると共に、各黒鍵８がそれぞれ屈曲部８ａを中心に上下方向に回転するように構成されている。
【００１９】
一方、鍵盤シャーシ２は、図１に示すように、楽器ケース１の下部ケースを兼ねるものであり、合成樹脂によって形成されている。この鍵盤シャーシ２の前端部（図１では左端部）には、鍵６の前端面に対応する前カバー部１０が底部から上方に突出して形成されている。この前カバー部１０の後部側（図１では右側）に位置する鍵盤シャーシ２の箇所には、白鍵７を上下方向にガイドするための後述する鍵ガイド部１１が上方に突出して形成されている。
【００２０】
また、この鍵盤シャーシ２における白鍵用の鍵ガイド部１１の後部側（図１では右側）に位置する箇所には、各鍵６の上下位置を規制する鍵位置規制部１２が形成されている。この鍵位置規制部１２は、鍵ガイド部１１の後側下部（図１では右下部）から斜め上方に向けて延び、この斜め上方に延びた上端部から後方（図１では右側）に向けて水平に延び、この延びた後端部（図１では右端部）から垂下され、この垂下された下端部から更に後方（図１では右側）に向けて水平に延びた構成であることにより、全体がほぼ山形の形状に形成されている。
【００２１】
この場合、鍵位置規制部１２における垂下された部分には、図１に示すように、開口部１２ａが形成されている。また、この開口部１２ａの上部における前側（図１では左側）に位置する水平な部分の下面には、上限ストッパ部１２ｂが設けられている。さらに、開口部１２ａの下部における後側（図１では右側）に位置する水平な部分の上面には、下限ストッパ部１２ｃが設けられている。
【００２２】
これにより、鍵位置規制部１２は、図１に示すように、白鍵７および黒鍵８の各鍵６にその下側に突出して形成された鍵突起部１３の下部から前側（図１では左側）に突出したフック部１３ａが、開口部１２ａ内に上下方向に移動可能に挿入され、この状態で鍵６が押鍵されると、鍵突起部１３のフック部１３ａが開口部１２ａ内を下側に移動して下限ストッパ部１２ｃに当接することにより、鍵６を下限位置に規制するように構成されている。
【００２３】
また、この鍵位置規制部１２は、図１に示す状態で押鍵された鍵６が初期位置（図１に示す元の状態）に戻る際に、鍵突起部１３のフック部１３ａが開口部１２ａ内を上側に移動して上限ストッパ部１２ｂに当接することにより、鍵６を初期位置である上限位置に規制するように構成されている。
【００２４】
この鍵位置規制部１２の後部（図１では右側）に位置する鍵盤シャーシ２の箇所には、図１に示すように、白鍵７の場合と同様、黒鍵８を上下方向にガイドする鍵ガイド部１１が上方に突出して形成されている。この黒鍵用の鍵ガイド部１１の後部側に位置する鍵盤シャーシ２の箇所には、スイッチ基板１４を搭載するための基板搭載部１５が形成されている。この場合、スイッチ基板１４は、複数の鍵６の配列方向に沿って連続する帯板状に形成されている。
【００２５】
このスイッチ基板１４上には、図１に示すように、複数のスイッチ部１６が各鍵６にそれぞれ対応して設けられている。この複数のスイッチ部１６は、スイッチ基板１４上に配置されて鍵６の配列方向に沿って連続するゴムシート１６ａを備えている。このゴムシート１６ａには、ドーム状の膨出部１６ｂが各鍵６にそれぞれ対応して設けられている。このドーム状の膨出部１６ｂ内には、可動接点（図示せず）がスイッチ基板１４上にそれぞれ設けられた各固定接点（図示せず）に接離可能な状態で対応して設けられている。
【００２６】
これにより、スイッチ部１６は、鍵６にそれぞれ形成されたスイッチ押圧部１７によってドーム状の膨出部１６ｂが押圧されると、この膨出部１６ｂが弾性変形して、その内部に設けられた可動接点がスイッチ基板１４上の固定接点に接触することにより、押鍵された鍵６に対応するスイッチ信号を出力するように構成されている。
【００２７】
さらに、このスイッチ部１６が搭載された基板搭載部１５の後部側に位置する鍵盤シャーシ２の箇所には、図１に示すように、鍵支持部１８が底部から上方に向けて突出して形成されている。この鍵支持部１８は、図１に示すように、複数の鍵６における複数の白鍵７の各間に複数の黒鍵８が配置されて、白鍵７の共通支持部７ｂと黒鍵８の共通支持部８ｂとが重ね合わされ、この状態で各共通支持部７ｂ、８ｂが複数のビス９によって取り付けられるように構成されている。
【００２８】
また、上部ケース３は、図１に示すように、鍵盤部４の後部（図１では右側部）、つまり各鍵６の屈曲部７ａ、８ａおよび共通支持部７ｂ、８ｂを覆って鍵盤シャーシ２の後側上部に取り付けられている。すなわち、この上部ケース３は、その内面に取付ボス３ａが設けられ、この取付ボス３ａが鍵盤シャーシ２の後部に位置する底部に起立して設けられた支持ボス２ａにビス（図示せず）によって取り付けられることにより、鍵盤シャーシ２の後側上部に取り付けられている。この上部ケース３の内面には、回路基板５が取り付けられている。
【００２９】
ところで、複数の鍵６をそれぞれ上下方向にガイドする複数の鍵ガイド部１１は、図３および図４に示すように、全体が平板状をなし、鍵盤シャーシ２上に起立した状態で一体に形成されている。すなわち、この鍵ガイド部１１は、図５に示すように、鍵６の配列方向（図５では左右方向）における長さ（幅Ｌ）が、これと同じ方向における鍵６の内部間の長さとほぼ同じか、それよりも少し短く形成されている。
【００３０】
この場合、鍵ガイド部１１は、成形用金型によって鍵盤シャーシ２と一体に成形されるため、鍵６の配列方向（図５では左右方向）における両端面１１ａ、１１ｂに抜き勾配が形成されている。これにより、鍵ガイド部１１は、図５に示すように、その両側の各端面１１ａ、１１ｂと鍵６内の両側の各内側面６ａ、６ｂとの間に僅かな隙間をもって、鍵６の内部に下側から挿入するように構成されている。また、この鍵ガイド部１１の両側の各端面１１ａ、１１ｂと鍵６内の両側の各内側面６ａ、６ｂとの間には、グリスなどの潤滑剤１９が塗布されている。
【００３１】
一方、この複数の鍵ガイド部１１は、図３〜図９に示すように、複数の鍵隙間調整部２０によってそれぞれ鍵６の配列方向（図５では左右方向）に向けて傾けられることにより、隣接する鍵６同士の隙間Ｓがそれぞれ調整されるように構成されている。すなわち、この鍵隙間調整部２０は、図５に示すように、鍵６の配列方向における鍵ガイド部１１の両側下部にそれぞれ位置する一対の調整穴部２１と、この一対の調整穴部２１のいずれかに螺入してその締付力に応じて鍵ガイド部１１を鍵６の配列方向に傾けるためのねじ部材２２とを備えている。
【００３２】
この場合、鍵盤シャーシ２の下面には、図３および図５に示すように、座ぐり部２０ａが各鍵ガイド部１１に対応して形成されている。ねじ部材２２は、図５に示すように、ねじ頭部２２ａと、このねじ頭部２２ａの外径よりも小径のねじ部２２ｂとを有している。また、一対の調整穴部２１は、図５に示すように、鍵６の配列方向（図５では左右方向）における鍵ガイド部１１の両側下部にそれぞれ位置する箇所において、鍵盤シャーシ２の下面に設けられた座ぐり部２０ａから鍵ガイド部１１中に位置する下部に亘ってそれぞれ形成されている。
【００３３】
この一対の調整穴部２１は、図５に示すように、それぞれ全体が段差形状に形成されている。すなわち、この調整穴部２１は、その下部に大径の円形孔２１ａが、鍵盤シャーシ２の下面に形成された座ぐり部２０ａに開放された状態で形成され、この円形孔２１ａの上部側にねじ穴２１ｂが円形孔２１ａと同一軸線の延長上に位置して円形孔２１ａに連続した状態で形成されている。
【００３４】
この場合、大径の円形孔２１ａは、図５に示すように、ねじ部材２２のねじ頭部２２ａの外径よりも小径で、且つねじ部２２ｂの外径（ｄ）よりも大径（Ｄ）に形成されている。これにより、円形孔２１ａは、ねじ部２２ｂが遊びをもって挿入するように形成されている。また、ねじ穴２１ｂは、ねじ部材２２のねじ部２２ｂと同じ大きさの径（ｄ）で、その内周面にねじ溝（図示せず）が形成され、このねじ溝にねじ部２２ｂが螺入するように形成されている。
【００３５】
また、この調整穴部２１は、図５に示すように、円形孔２１ａの軸方向（図５では上下方向）の長さ（Ｈ）がねじ部２２ｂの軸方向（図５では上下方向）の長さ（Ｎ）よりも短く（Ｈ＜Ｎ）形成され、ねじ穴２１ｂの軸方向（図５では上下方向）の長さ（ｈ）が円形孔２１ａの長さ（Ｈ）よりも十分に短く（ｈ＜Ｈ）形成されている。また、ねじ部材２２は、図５〜図９に示すように、そのねじ部２２ｂの長さ（Ｎ）が調整穴部２１の円形孔２１ａの長さ（Ｈ）よりも長く形成され、且つ円形孔２１ａとねじ穴２１ｂとの両者の長さ（Ｈ＋ｈ）よりも短く（Ｎ＜Ｈ＋ｈ）形成されている。
【００３６】
これにより、鍵隙間調整部２０は、図５〜図９に示すように、ねじ部材２２のねじ部２２ｂが鍵盤シャーシ２の下側から一対の調整穴部２１のいずれか一方に挿入され、この挿入されたねじ部２２ｂの先端部（図７では上端部）が調整穴部２１の円形孔２１ａを通り抜けてねじ穴２１ｂに螺入した際に、ねじ部材２２のねじ頭部２２ａが調整穴部２１の下端の縁部である座ぐり部２０ａの内面に当接するように構成されている。
【００３７】
また、この鍵隙間調整部２０は、図５〜図９に示すように、ねじ部２２ｂがねじ穴２１ｂに螺入して、ねじ頭部２２ａが座ぐり部２０ａの内面に当接した際に、ねじ部２２ｂの先端部（図７では上端部）がねじ穴２１ｂの上端部に到達せず、ねじ穴２１ｂにおける上下方向の中間部付近に位置するように構成されている。
【００３８】
さらに、この鍵隙間調整部２０は、図５〜図９に示すように、ねじ頭部２２ａが座ぐり部２０ａの内面に当接して、ねじ部２２ｂの先端部（図７では上端部）がねじ穴２１ｂにおける上下方向の中間部付近に位置した状態で、ねじ部材２２を締め付けると、その締付力に応じて鍵ガイド部１１の片側（図７では右側）を下側に引き寄せて圧縮させることにより、鍵ガイド部１１を鍵６の配列方向（図７では右方向）に傾かせるように構成されている。
【００３９】
これにより、この鍵隙間調整部２０は、図５〜図９に示すように、ねじ部材２２の締付力によって鍵ガイド部１１を鍵６の配列方向（図７では右方向）に傾けた際に、鍵ガイド部１１の各端面１１ａ、１１ｂの一方（図７では右側の端面１１ａ）が鍵６内の内側面６ａ、６ｂの一方（図７では右側の内側面６ａ）に押し当てられ、この押し当てられた鍵ガイド部１１の端面１１ａ、１１ｂの一方によって鍵６をその配列方向（図７では右方向）に変位させるように構成されている。
【００４０】
次に、このような鍵盤楽器を組立て複数の鍵６の各隙間Ｓを調整する場合について説明する。
この鍵盤楽器を組み立てる場合には、図１に示すように、まず、鍵盤シャーシ２の基板搭載部１５上にスイッチ基板１４を取り付ける。このときには、予め、スイッチ基板１４上にゴムシート１６ａを配置し、このゴムシート１６ａに形成されたドーム状の膨出部１６ｂをスイッチ基板１４上の固定接点（図示せず）にそれぞれ対応させる。
【００４１】
この状態で、鍵盤シャーシ２上に複数の鍵６を配置する。このときには、図１および図２に示すように、複数の白鍵７の各間に複数の黒鍵８をそれぞれ配置すると共に、白鍵７の共通支持部７ｂと黒鍵８の共通支持部８ｂとを重ね合わせる。この状態で、重ね合わされた各共通支持部７ｂ、８ｂを鍵盤シャーシ２の鍵支持部１８上に配置して複数のビス９によって取り付ける。
【００４２】
このときには、複数の鍵６の内部に鍵盤シャーシ２に形成された複数の鍵ガイド部１１をそれぞれ下側から挿入させると共に、各鍵６にそれぞれ設けられた鍵突起部１３の各フック部１３ａを鍵盤シャーシ２の鍵位置規制部１２の開口部１２ａ内に挿入させる。そして、複数の鍵６にそれぞれ形成されたスイッチ押圧部１７を鍵盤シャーシ２上に取り付けられたスイッチ基板１４上の各スイッチ部１６にそれぞれ対応させる。
【００４３】
これにより、複数の鍵６は、押鍵操作に応じて各屈曲部７ａ、８ａがそれぞれ上下方向に撓み変形することにより、上下方向に回転するように、鍵盤シャーシ１上に取り付けられる。また、この複数の鍵６は、それぞれ押鍵操作されて上下方向に回転する際に、複数の鍵ガイド部１１によってそれぞれ各鍵６が横振れすることなく、上下方向にガイドされる。
【００４４】
ところで、複数の鍵６の各共通支持部７ｂ、８ｂを重ね合わせて鍵盤シャーシ２の鍵支持部１８上に複数のビス９によって締め付けた際に、その締付力によって複数の鍵６のいずれかが捻じれて、図６および図８に示すように、隣接する鍵６同士の隙間Ｓが不規則になった場合、あるいは複数の鍵６を組み立てる際に、その組立精度など不良要因によって、図６および図８に示すように、隣接する鍵６同士の隙間Ｓが不規則になった場合には、その不規則な隙間Ｓを鍵隙間調整部２０によってそれぞれ調整する。
【００４５】
すなわち、図６に示すように、隣接する鍵６同士の隙間Ｓが不規則になった場合には、隣接する鍵６同士の隙間Ｓが広い箇所に隣接する鍵ガイド部１１をこれに対応する鍵隙間調整部２０によって鍵６同士の隙間Ｓが広い方向に向けて傾かせることにより、鍵６同士の隙間Ｓを調整する。
【００４６】
このときには、鍵６同士の隙間Ｓが広い箇所に隣接する鍵ガイド部１１のうち、図６に示すように、鍵６同士の隙間Ｓが広い箇所の左側に位置する鍵ガイド部１１において、この鍵ガイド部１１に設けられた鍵隙間調整部２０の一対の調整穴部２１の一方、つまり鍵６の隙間Ｓが広い箇所に隣接する一方の調整穴部２１、例えば図７に示すように、右側に位置する調整穴部２１に、ねじ部材２２を鍵盤シャーシ２の下側から挿入して締め付ける。
【００４７】
この場合には、図７に示すように、まず、ねじ部材２２のねじ部２２ｂを調整穴部２１の円形孔２１ａに挿入し、この挿入されたねじ部２２ｂの先端部（図７では上端部）を円形孔２１ａからねじ穴２１ｂに螺入させる。そして、ねじ部材２２のねじ頭部２２ａを円形孔２１ａの下端部に位置する縁部である座ぐり部２０ａの内面に当接させる。このときには、ねじ部２２ｂの先端部（図７では上端部）がねじ穴２１ｂの上端部に到達せず、ねじ穴２１ｂにおける上下方向の中間部付近に位置する。
【００４８】
この状態で、ねじ頭部２２ａをドライバーなどの工具で回転させて締め付ける。すると、ねじ部材２２の締付力に応じて鍵ガイド部１１の片側（図７では右側）が下側に引き寄せられるので、調整穴部２１の円形孔２１ａを下側に変形させながら、鍵ガイド部１１の右端面１１ａ側に位置する片側が下側に縮む。この場合、円形孔２１ａの内径がねじ部材２２のねじ部２２ｂよりも十分に大きく形成されていることにより、ねじ部材２２の締付力に応じて鍵ガイド部１１の右端面１１ａ側に位置する片側が上下方向に変形し易くなり、鍵ガイド部１１の右端面１１ａ側の片側を下側に容易に縮ませることができる。
【００４９】
これにより、鍵ガイド部１１は、図７に示すように、ねじ部材２２によって締め付けられると、その締め付けられた箇所が鍵６同士の隙間Ｓの広い方向（図７では鍵６の配列方向における右側）に向けて傾く。このため、鍵ガイド部１１が傾いた方向（図７では右側）に位置する鍵ガイド部１１の右端面１１ａが鍵６の内側面６ａに押し当てられ、この押し当てられた鍵ガイド部１１の右端面１１ａによって、鍵６がその配列方向における鍵６同士の隙間Ｓの広い方向（図７では右方向）に変位して、隣接する鍵６同士の隙間Ｓが調整される。
【００５０】
また、同様に、鍵６同士の隙間Ｓが広い箇所が、図８に示すように、上述した場合と異なる場合には、鍵６同士の隙間Ｓが広い箇所に隣接する鍵ガイド部１１をこれに対応する鍵隙間調整部２０によって鍵６同士の隙間Ｓが広い方向に向けて傾かせることにより、鍵６同士の隙間Ｓを調整する。
【００５１】
このときには、鍵６同士の隙間Ｓが広い箇所に隣接する鍵ガイド部１１のうち、図８に示すように、鍵６同士の隙間Ｓが広い箇所の右側に位置する鍵ガイド部１１において、この鍵ガイド部１１に設けられた鍵隙間調整部２０の一対の調整穴部２１の一方、つまり鍵６同士の隙間Ｓが広い箇所に隣接する一方の調整穴部２１、例えば図９に示すように、左側に位置する調整穴部２１に、ねじ部材２２を鍵盤シャーシ２の下側から挿入して締め付ける。
【００５２】
この場合にも、図９に示すように、ねじ部材２２のねじ部２２ｂを調整穴部２１の円形孔２１ａからねじ穴２１ｂに螺入させて、ねじ部材２２のねじ頭部２２ａを円形孔２１ａの下端部に位置する縁部である座ぐり部２０ａの内面に当接させる。このときにも、ねじ部２２ｂの先端部（図９では上端部）がねじ穴２１ｂの上端部に到達せず、ねじ穴２１ｂにおける上下方向の中間部付近に位置する。
【００５３】
この状態で、ねじ頭部２２ａをドライバーなどの工具で回転させて締め付けると、ねじ部材２２の締付力に応じて鍵ガイド部１１の片側（図９では左側）が下側に引き寄せられるので、調整穴部２１の円形孔２１ａを下側に変形させながら、鍵ガイド部１１の片側（図９では左側）が下側に縮む。この場合においても、円形孔２１ａの内径がねじ部材２２のねじ部２２ｂよりも十分に大きく形成されていることにより、ねじ部材２２の締付力に応じて鍵ガイド部１１の左端面１１ｂ側に位置する片側が上下方向に変形し易くなり、鍵ガイド部１１の左端面１１ｂ側の片側を容易に縮ませることができる。
【００５４】
これにより、鍵ガイド部１１が、図９に示すように、ねじ部材２２によって締め付けられると、この締め付けられた箇所が、鍵６同士の隙間Ｓの広い方向（図９では鍵６の配列方向における左側）に向けて傾く。このため、鍵ガイド部１１が傾いた側（図９では左側）に位置する鍵ガイド部１１の左端面１１ｂが鍵６の内側面６ｂに押し当てられ、この押し当てられた鍵ガイド部１１の左端面１１ｂによって、鍵６がその配列方向における鍵６同士の隙間Ｓの広い方向（図９では左方向）に変位して、隣接する鍵６同士の隙間Ｓが調整される。
【００５５】
次に、このように鍵６同士の隙間Ｓが調整された鍵盤楽器を使用して演奏する場合にいて説明する。
このときには、図１および図２において複数の鍵６が押鍵されると、鍵６は、グリスなどの潤滑剤１９が塗布された鍵ガイド部１１によって円滑に且つ良好にガイドされながら、図１において反時計回りに回転すると共に、鍵突起部１３のフック部１３ａが開口部１２ａ内を下側に向けて移動しながら、スイッチ押圧部１７がスイッチ部１６を押圧し、この押圧されたスイッチ部１６がスイッチ信号を出力する。これにより、楽音が発音される。
【００５６】
そして、押鍵された鍵６が最も押し下げられると、鍵突起部１３のフック部１３ａが下限ストッパ部１２ｃに当接して、鍵６が下限位置に規制される。この後、鍵６は、スイッチ部１６の弾性復帰力と各屈曲部７ａ、８ａの弾性復帰力とによって図１において時計回りに回転して初期位置に戻る。このときには、鍵６は、グリスなどの潤滑剤１９が塗布された鍵ガイド部１１によって円滑に且つ良好にガイドされながら、鍵突起部１３のフック部１３ａが開口部１２ａ内を上側に向けて移動し、スイッチ押圧部１７がスイッチ部１６の上方に離れる。これにより、スイッチ部１６がオフになり、楽音の発音が停止される。
【００５７】
このように、この鍵盤楽器によれば、複数の鍵６が上下方向に回転可能に取り付けられた状態で並列に配列された鍵盤シャーシ２上に起立して設けられ、且つ複数の鍵６の各内部にそれぞれ挿入して各鍵６を上下方向にガイドする複数の鍵ガイド部１１と、この複数の鍵ガイド部１１をそれぞれ鍵６の配列方向に傾けることにより、隣接する鍵６同士の隙間Ｓをそれぞれ調整する複数の鍵隙間調整部２０とを備えていることにより、隣接する鍵６同士の隙間Ｓを容易に且つ正確に修正して、多数の鍵６の各隙間Ｓを均一にすることができる。
【００５８】
すなわち、この鍵盤楽器では、鍵盤シャーシ６上に並列に配列された複数の鍵６の各隙間Ｓを調整する際に、複数の鍵６をそれぞれ上下方向にガイドする複数の鍵ガイド部１１のうち、鍵６同士の各隙間Ｓが広い箇所に隣接する鍵ガイド部１１を、これに対応する鍵隙間調整部２０によって鍵６の配列方向における鍵６同士の隙間Ｓの広い方向に傾け、この傾いた鍵ガイド部１１によって鍵６をその配列方向における鍵６同士の隙間Ｓの広い方向に変位させることができる。このため、隣接する鍵６同士の隙間Ｓを正確に且つ良好に調整することができるので、隣接する鍵６同士の隙間Ｓを容易に且つ正確に修正して、多数の鍵６の各隙間Ｓを均一にすることができる。
【００５９】
この場合、鍵隙間調整部２０は、鍵６の配列方向における鍵ガイド部１１の両側部に位置し、且つ鍵盤シャーシ２の下面から鍵ガイド部１１中における下部に亘ってそれぞれ形成された複数の調整穴部２１と、この複数の調整穴部２１のいずれかに螺入してその締付力に応じて鍵ガイド部１１を鍵６の配列方向に傾けるためのねじ部材２２とを備えた構成であることにより、構造が簡単であるばかりか、ねじ部材２２を締め付けるだけの簡単な操作で容易に鍵６の隙間Ｓを調整することができる。
【００６０】
すなわち、鍵盤シャーシ２に一体に形成された鍵ガイド部１１に一対の調整穴部２１を形成するだけで良いので、既存の成形用金型を大幅に変更する必要がなく、既存の成形用金型を用いて容易に成形することができるので、金型費用が安く済むほか、ねじ部材２２以外の別部品が不要であるため、部品コストも安く済ませることができる。また、楽器の製作時および出荷時における鍵６の隙間調整が簡単にできるばかりか、保守点検や出張修理などの際においても、ドライバーなどの工具があれば、鍵６の隙間調整が簡単にできるので、鍵６の隙間調整における作業性の向上を図ることができる。
【００６１】
また、ねじ部材２２は、ねじ頭部２２ａと、このねじ頭部２２ａの外径よりも小径（ｄ）のねじ部２２ｂとを有し、調整穴部２１は、鍵盤シャーシ２の下面に開放された状態でねじ部材２２のねじ頭部２２ａよりも小径で且つねじ部２２ｂよりも大径（Ｄ）に形成されてねじ部２２ｂが遊びをもって挿入する大径の円形孔２１ａと、この円形孔２１ａの上部側に形成されてねじ部材２２のねじ部２２ｂが螺入するねじ穴２１ｂとを有する構成であることにより、鍵６同士の隙間Ｓを正確に且つ微妙に調整することができる。
【００６２】
すなわち、鍵６同士の隙間Ｓを調整する際には、鍵６同士の隙間Ｓが広い箇所に隣接する調整穴部２１に、ねじ部材２２を鍵盤シャーシ２の下側から挿入して、ねじ部２２ｂをねじ穴２１ｂに螺入させ、且つねじ部材２２のねじ頭部２２ａを円形孔２１ａの下端部に位置する縁部である座ぐり部２０ａの内面に当接させ、この状態でねじ頭部２２ａをドライバーなどの工具で回転させて締め付けることにより、ねじ部材２２の締付力に応じて鍵ガイド部１１の片側を下側に引き寄せて変形させることができる。
【００６３】
このときには、調整穴部２１の円形孔２１ａがねじ部２２ｂよりも大径（Ｄ）に形成されているので、この円形孔２１ａによって鍵ガイド部１１の片側をねじ部材２２の締付力に応じて確実に且つ良好に下側に変形させることができ、これにより鍵ガイド部１１の片側を下側に縮めることができる。このため、ねじ部材２２によって締め付けられた鍵ガイド部１１の箇所を、ねじ部材２２の締付力に応じて鍵６の配列方向における隙間Ｓの広い方向に向けて正確に傾けることができる。
【００６４】
これにより、鍵６の配列方向における隙間Ｓの広い方向に向けて傾いた鍵ガイド部１１の両側に位置する各端面１１ａ、１１ｂの一方を鍵６内の両側に位置する各内側面６ａ、６ｂの一方に押し当てることができるので、この押し当てられた鍵ガイド部１１の各端面１１ａ、１１ｂの一方によって、鍵６をその配列方向における隙間Ｓの広い方向に向けて変位させることができ、これにより隣接する鍵６同士の隙間Ｓを正確に且つ微妙に調整することができる。
【００６５】
この場合、円形孔２１ａの内径がねじ部材２２のねじ部２２ｂよりも十分に大きく形成されていることにより、ねじ部材２２を締め付けた際に、そのねじ部材２２の締付力に応じて円形孔２１ａが鍵ガイド部１１を上下方向に変形し易くすることができ、これにより鍵ガイド部１１の片側を下側に向けて容易に縮ませることができるので、より一層、隣接する鍵６同士の隙間Ｓを正確に且つ微妙に調整することができる。
【００６６】
また、ねじ部材２２のねじ部２２ｂは、調整穴部２１の円形孔２１ａにおける軸方向（上下方向）の長さ（Ｈ）よりも長く（Ｎ＞Ｈ）形成され、且つ円形孔２１ａとねじ穴２１ｂとの両者の長さ（Ｈ＋ｈ）よりも短く（Ｎ＜Ｈ＋ｈ）形成されていることにより、ねじ部材２２を調整穴部２１に挿入し、このねじ部材２２のねじ頭部２２ａを円形孔２１ａの下端部に位置する縁部である座ぐり部２０ａの内面に当接させた状態で、ねじ頭部２２ａを締め付けた際に、ねじ部材２２の締付力に応じて鍵ガイド部１１の片側を確実に且つ良好に下側に引き寄せることができる。
【００６７】
すなわち、ねじ部材２２を調整穴部２１に挿入して、ねじ頭部２２ａを円形孔２１ａの下端部に位置する縁部である座ぐり部２０ａの内面に当接させた際には、ねじ部２２ｂの先端部がねじ穴２１ｂの上端部に到達せず、ねじ穴２１ｂ内における上下方向の中間部付近に位置させることができるので、ねじ部材２２の締付力に応じて鍵ガイド部１１の片側を確実に下側に引き寄せることができ、これにより鍵ガイド部１１の片側を調整穴部２１の円形孔２１ａによって確実に下側に向けて変形させることができる。
【００６８】
このため、ねじ部材２２の締付力に応じて鍵ガイド部１１の片側を下側に向けて正確に且つ微妙に縮めることができると共に、ねじ部材２２によって締め付けられた箇所側に向けて鍵ガイド部１１を、ねじ部材２２の締付力に応じて傾けることができるので、この傾いた鍵ガイド部１１によって、鍵６をその配列方向における隙間Ｓの広い方向に正確に且つ確実に変位させることができ、これにより、より一層、隣接する鍵６同士の隙間Ｓを正確に且つ微妙に調整することができる。
【００６９】
なお、上述した実施形態では、鍵隙間調整部２０の一対の調整穴部２１における円形孔２１ａが、ねじ部材２２のねじ頭部２２ａよりも小径で且つねじ部２２ｂよりも大径（Ｄ）に形成されてねじ部２２ｂが遊びをもって挿入するように構成されている場合について述べたが、これに限らず、円形孔２１ａをねじ部材２２のねじ頭部２２ａよりも大径に形成しても良い。
【００７０】
この場合には、ワッシャーを用いてねじ部材２２を調整穴部２１に挿入させて締め付けるようにすれば良い。このように円形孔２１ａを大きく形成すれば、より一層、鍵ガイド部１１を変形し易くすることができるので、鍵６同士の隙間Ｓを更に正確に且つ微妙に調整することができる。
【００７１】
また、上述した実施形態では、鍵６が白鍵７と黒鍵８とを有し、白鍵７がその各後端部に形成された薄肉の屈曲部７ａと、この屈曲部７ａが連結されて鍵６の配列方向に連続する共通支持部７ｂとを備え、黒鍵８がその各後端部に形成された薄肉の屈曲部８ａと、この屈曲部８ａが連結されて鍵６の配列方向に連続する共通支持部８ｂとを備えた構成である場合について述べたが、これに限らず、鍵６は、白鍵７の後端部と黒鍵８の後端部とをそれぞれ鍵盤シャーシ２の鍵支持部１８に設けられた支持軸に独立させた状態で回転可能に取り付けた構成のものであっても良い。
【符号の説明】
【００７２】
１  楽器ケース
２  鍵盤シャーシ
６  鍵
６ａ、６ｂ  鍵の各内側面
１１  鍵ガイド部
１１ａ、１１ｂ  鍵ガイド部の各端面
２０  鍵隙間調整部
２１  調整穴部
２１ａ  円形孔
２１ｂ  ねじ穴
２２  ねじ部材
２２ａ  ねじ頭部
２２ｂ  ねじ部
Ｓ  隙間
Ｈ  円形孔の長さ
ｈ  ねじ穴の長さ
Ｄ  円形孔の内径
ｄ  ねじ穴の内径
Ｎ  ねじ部の長さ
【図１】
0005720923.tif 000002
【図２】
0005720923.tif 000003
【図３】
0005720923.tif 000004
【図４】
0005720923.tif 000005
【図５】
0005720923.tif 000006
【図６】
0005720923.tif 000007
【図７】
0005720923.tif 000008
【図８】
0005720923.tif 000009
【図９】
0005720923.tif 000010